(57)【要約】【課題】シンク前方に、従来の幕板に代えて、物品を手軽に収納できるものであって、流し台のキャビネットに簡単、且つ正確に位置決めして取り付けることのできる収納用部材を取り付けた流し台を実現する。【解決手段】  天板５の下であってシンク７の前方のスペースに収納用幕板部１１が配設されており、この収納用幕板部１１は、収納用部材１２と、収納用部材１２をキャビネット３の側板に取り付ける固定片１３とを備えており、さらに、収納用幕板部１１は、収納用部材１２の側面にサイドカバーが設けられている。収納用部材１２は、アルミ等の金属又は樹脂等の材料で成形され、断面コの字型の収納筺部１５と、収納用部材１２の上部の天板当接部１７と、収納用部材１２の下部の幕部１８とから一体的に構成されている。【選択図】図２
2006346302.tif 000002
【特許請求の範囲】
【請求項１】
シンクと、該シンクを収める開口部を有する天板と、該天板を支持するキャビネットを備えた流し台であって、
前記キャビネットは、前記シンクの前面を覆う収納用幕板部を有し、該収納用幕板部は、物品を収納する収納用部材と、該収納用部材を前記キャビネットの側板へ固定する固定片とから成り、前記収納用部材の上部には天板に当接する天板当接部が形成されていることを特徴とする流し台。
【請求項２】
シンクと、該シンクを収める開口部を有する天板と、該天板を支持するキャビネットを備えた流し台であって、
前記キャビネットは、前記シンクの前面を覆う収納用幕板部を有し、該収納用幕板部は、物品を収納する収納用部材と、該収納用部材を前記キャビネットの側板へ固定する固定片とから成り、前記収納用部材の上部の前面には、水返しのための傾斜面が形成されていることを特徴とする流し台。
【請求項３】
シンクと、該シンクを収める開口部を有する天板と、該天板を支持するキャビネットを備えた流し台であって、
前記キャビネットは、前記シンクの前面を覆う収納用幕板部を有し、該収納用幕板部は、物品を収納する収納用部材と、該収納用部材を前記キャビネットの側板へ固定する固定片とから成り、前記収納用部材における物品を載置する棚の前側に物品の落下止め用の段部が形成されていることを特徴とする流し台。
【請求項４】
請求項１から３のいずれかに記載の流し台であって、前記収納用部材の側方を覆うサイドカバーを備えていることを特徴とする流し台。
【発明の詳細な説明】
【技術分野】
【０００１】
本発明は、流し台に関し、特に、流し台を構成するキャビネットの幕板部に、前面を開口した収納部を設けた流し台に関する。そして、本発明の流し台は、キッチンで利用される流し台だけでなく、洗面室等に設置される所謂洗面台等として利用される流し台としても適用できる流し台も含むものである。
【背景技術】
【０００２】
従来、流し台の幕板部に収納部を設けた構成は、公知である（例．特許文献１、２参照）。また、キッチンキャビネットの天板と収納部の間の空間部に、前面が開口する開放収納部を設けた構成は公知である（例．特許文献３参照）。さらに、シンク前方に張出部を有し、前方張出部の下方空間の膜板部を前面収納スペースとした構成は公知である（例．特許文献４参照）ある。
【０００３】
【特許文献１】実開昭６０−１０５４４１号公報
【特許文献２】実開平２−６４３３８号公報
【特許文献３】実公平６−１０８５９号公報
【特許文献４】特開２００４−２２９６９９号公報
【発明の開示】
【発明が解決しようとする課題】
【０００４】
特許文献１、２、４は、シンク前方に開閉扉を設け幕板との間を収納部としているために十分な収納スペースがとれず、しかも、いちいち扉を開閉する必要があり簡単に収納することはできない。特許文献３は、シンクの前方の空間は避けてその両側の空間に開放収納部を設ける構成であるので、シンクの前方の空間は利用していないので、無駄となっている。
【０００５】
本発明は、上記従来の課題を解決することを目的とするものであり、シンク前方に従来の幕板に代えて、物品を手軽に収納できるものであって、流し台のキャビネットに簡単、且つ正確に位置決めして取り付けることのできる収納用部材を取り付けた流し台を実現するものである。
【課題を解決するための手段】
【０００６】
本発明は上記課題を解決するために、シンクと、該シンクを収める開口部を有する天板と、該天板を支持するキャビネットを備えた流し台であって、前記キャビネットは、前記シンクの前面を覆う収納用幕板部を有し、該収納用幕板部は、物品を収納する収納用部材と、該収納用部材を前記キャビネットの側板へ固定する固定片とから成り、前記収納用部材の上部には天板に当接する天板当接部が形成されていることを特徴とする流し台を提供する。
【０００７】
本発明は上記課題を解決するために、シンクと、該シンクを収める開口部を有する天板と、該天板を支持するキャビネットを備えた流し台であって、前記キャビネットは、前記シンクの前面を覆う収納用幕板部を有し、該収納用幕板部は、物品を収納する収納用部材と、該収納用部材を前記キャビネットの側板へ固定する固定片とから成り、前記収納用部材の上部の前面には、水返しのための傾斜面が形成されていることを特徴とする流し台を提供する。
【０００８】
本発明は上記課題を解決するために、シンクと、該シンクを収める開口部を有する天板と、該天板を支持するキャビネットを備えた流し台であって、前記キャビネットは、前記シンクの前面を覆う収納用幕板部を有し、該収納用幕板部は、物品を収納する収納用部材と、該収納用部材を前記キャビネットの側板へ固定する固定片とから成り、前記収納用部材における物品を載置する棚の前側に物品の落下止め用の段部が形成されていることを特徴とする流し台を提供する。
【０００９】
前記各流し台を、前記収納用部材の側方を覆うサイドカバーを備えている構成としてもよい。
【発明の効果】
【００１０】
上記構成から成る本発明に係る流し台によれば、次のような効果が生じる。
（１）シンク前方に物品を手軽に収納できる収納用部材を設けたので、シンク前方の空間を収納空間として有効に利用でき、流し台の使用者は、物品を扉などを開くことなく、手軽に物品をこの収納用部材の収納部に収納することができる。
【００１１】
（２）収納用部材を、固定片を介して簡単、且つ正確にキャビネットに位置決めでき、組立の作業性を向上することができる。
【００１２】
（３）収納用部材の前側の上部に傾斜面を設けたので、表面に付着した水滴を溜めておくことなく、キャビネットの前方に水切りすることができ、さらに、収納用部材における物品を載置する棚の前側に物品の落下止め用の段部が形成されているので、物品が転がって簡単に落下するようなことが防止できる。
【発明を実施するための最良の形態】
【００１３】
本発明に係る流し台を実施するための最良の形態を実施例に基づき図面を参照して、以下説明する。
【実施例】
【００１４】
（全体構成）
図１（ａ）は従来例に係る流し台１を説明する図であり、図１（ｂ）、図２、図３（ａ）は、本発明に係る流し台２の実施例を説明する図である。図１（ａ）、（ｂ）及び図２、図３（ａ）において、流し台１、２の本体を構成するキャビネット３の収納スペース４の上方には、天板５が設けられている。この天板５には開口部６が形成され、この開口部６にシンク７が取り付けられている。シンク７の前方には、キャビネット３の扉８が設けられている。
【００１５】
流し台のキャビネット３の扉８を開くと、シンク７が前方から見えてしまうので、従来は、図１（ａ）に示すように、シンク７の前方に幕板９を設け、その前面に化粧板１０を設けている。或いは、幕板９の前面に、図示はしないが、扉８を閉じた際に扉の上部が当接する構成（扉８が幕板９の前面まで形成されている構成）ともされている。
【００１６】
しかし、幕板９とシンク７の間にはスペース４’があるが、幕板９を設けると、このスペース４’が利用できない。そこで、本発明では、このスペース４’の有効利用を図るために、天板５の前部下方であってシンク７の前方に、幕板９に代えて、図１（ｂ）、図２、図３（ａ）に示すように、収納も兼ねる幕板である収納用幕板部１１を設けた構成を特徴とするものである。
【００１７】
図２（ａ）は、本発明の流し台２における収納用幕板部１１の断面構造を示す図であるが、この図に示すように、収納用幕板部１１は、天板５の下であってシンク７の前方のスペース４’に配設されている。この収納用幕板部１１は、収納用部材１２と、収納用部材１２をキャビネット３の側板に取り付ける固定片１３とを備えている。さらに、収納用幕板部１１は、収納用部材１２の側面にサイドカバー１４が設けられている（図３（ａ）、（ｂ）参照）。
【００１８】
図３（ａ）は、本発明の流し台２におけるキャビネット３の収納用幕板部１１の斜視図を示している。流し台２の前方側から見て、扉８の上方に収納用幕板部１１が設けられ、この収納用幕板部１１の収納筺部１５に、物品１６を載置し収納することができる。なお、扉８は、前方へスライドさせる引き出し式の扉である。
【００１９】
（収納用幕板部の各部品）
図４は、収納用幕板部１１の各部品を説明する図である。図４（ａ）は収納用部材１２の斜視図であり、図４（ｂ）はその断面図を示す。収納用部材１２は、アルミ等の金属又は樹脂等の材料で成形され、断面コの字型の収納筺部１５と、収納用部材１２の上部（収納筺部１５の上方）の天板当接部１７と、収納用部材１２の下部（収納筺部１５の下方）の幕部１８とから一体的に構成されている。
【００２０】
収納筺部１５には、流し台２の使用者が物品１６を載置するための棚１９が形成されており、この棚１９の前側には、落下止め用の段部２０が形成されている。この段部２０は、前側が高く形成されており、棚１９に載置した物品１６（図２（ａ）、図３（ａ）参照）が前側に転がって簡単に落下するようなことを防止するものである。
【００２１】
天板当接部１７は、ユ字の前後逆向きの断面形状に形成され、天板５の前端下面の角部２１（図５（ａ）参照）に当接し、天板５を支持する。また、天板当接部１７は天板５と収納用幕板部１１との隙間を隠す機能も有している。そして、図２（ｂ）に示すように、収納用部材１２の上部の前側、即ち、天板当接部１７の前方の上面部分は前方に向けて下方に傾斜した傾斜面２２が形成されている。この傾斜面２２は、収納用幕板部１１の上面に付着した水滴が前方に排水されるようにして、収納用部材１２の表面に溜まったり、収納筺部１５に入り込んだりしないようしている。
【００２２】
幕部１８の後面にはネジ孔２３が形成されており、固定片１３が収納用部材１２にネジ止めされる構造となっている。なお、幕部１８の下端部は、図２（ｂ）、図４（ｂ）に示すように、前面には下後方に向けて傾斜した前面傾斜面２４が形成され、後面には下前方に向けて傾斜された後面傾斜面２５が形成されている。これらの傾斜面２４、２５が形成されていると、図２（ｂ）に示すように、水滴が収納用部材１２の前面及び後面に沿って流れ出てきても、水滴Ｗを扉８に付着することなく、その前方に排出可能となる。
【００２３】
サイドカバー１４は樹脂材等で形成されている。サイドカバー１４の形状は、図４（ｂ）に示すような収納用幕板部１１の側面形状（天板当接部１７の部分は不要である。）に対応しており、図３（ａ）に示すように、収納用幕板部１１の左右の側面を覆うように嵌合されて装着され、収納用部材１２へのサイドからの埃の侵入を防ぐ機能を有している。
【００２４】
なお、図２及び図３（ａ）に示すように、この実施例では収納用幕板部１１は、天板５の前面より若干、後方に引っ込んだ位置に設けられているが、図３（ｂ）でこの実施例の変形例として示すように、天板５の前面より前方に突出し、側面に装着されたサイドカバー１４がキャビネット３の前方に表出するように設けてもよい。この場合、サイドカバー１４は収納用幕板部１１のサイドを保護するとともに、使用者が手指を引っ掛ける等して怪我をすることのないように安全性も向上させている。
【００２５】
図４（ｃ）は、固定片１３の平面図（上図）及び側面図（下図）をそれぞれ示している。固定片１３の本体の左右の側縁には、折返し部２６が形成されている。この折返し部２６は、収納用部材１２の後面に当接してネジ止めされ、固定片１３が収納用部材１２に固定される。固定片１３の本体には、ネジ止め用の孔２７が形成されており、キャビネット３の側板２８の内面にネジ止めすることが可能である。
【００２６】
固定片１３の本体の上部には、上方に開口した位置決め用孔２９が形成されている。この位置決め用孔２９は、上方に拡開した開口３０、長孔３１及び下端の丸孔３２が互いに連通して形成されている。長孔３１の幅より、開口３０の拡開端の幅及び丸孔３２の直径の方が大きな寸法に形成されている。
【００２７】
この位置決め用孔２９に挿通される位置決め用突起３３が、キャビネット３の側板の前部内面に突設されている。この位置決め用突起３３を上方から見た図を図４（ｄ）に示し、その斜視図を図４（ｅ）に示す。位置決め用突起３３は、側板２８に向けて直径が小さくなるようにテーパ状に形成されている。
【００２８】
（収納用幕板部の組立）
図５（ａ）〜（ｄ）は、収納用部材１２に固定片１３をネジ止めして収納用幕板部１１を組立て、この収納用幕板部１１を流し台２のキャビネット３に組み付ける工程を説明する図である。まず、図５（ａ）に示すように、収納用部材１２の幕部１８の後面に固定片１３の折返し部２６を当接してネジ止めして固定する。
【００２９】
固定片１３を取り付けた収納用部材１２を、図５（ａ）の矢印（白抜き矢印）で示すように、キャビネット３内の側板２８の内側であって、位置決め用突起３３より下方に位置させてから上方に向けて移動する。そして、図５（ａ）の想像線で示し、また図５（ｃ）に固定片１３の位置決め用孔２９と位置決め用突起３３の関係を示すように、固定片１３を、その位置決め用孔２９の開口３０の拡開端に位置決め用突起３３が挿入できるような位置に移動する。
【００３０】
この状態で、固定片１３をさらに持ち上げて位置決め用突起３３を位置決め用孔２９に挿入していく。すると、開口面が位置決め用突起３３のテーパ面に沿って案内され、位置決め用突起３３が長孔３１に入り込むと、図５（ｂ）に示すように収納用部材１２の前後方向の位置が位置決めされ、しかも、図５（ｄ）に示すように、固定片１３は側板２８に当接される。
【００３１】
ここでさらに、固定片１３及び収納用部材１２を上方に持ち上げて移動していくと、天板当接部１７は、天板５の角部２１に位置決めされて当接される。この後、 ネジ止め用の孔２７にネジを挿入して固定片１３を側板２８にネジ止めする。これによって、図２（ａ）、（ｂ）に示すように、に、収納用部材１２を、天板５の下方且つ前端の位置に簡単、且つ正確に位置決めして固定することができる。
【００３２】
（作用）
以上のようにして、収納用幕板部１１の部品を組立て、この収納用幕板部１１を流し台２のキャビネット３の側板２８に取付けることで、図２（ａ）、図３（ａ）に示すように、扉８の上方に収納用幕板部１１を設けた流し台２を得ることができる。本発明では、収納用部材１２を、位置決め用孔２７を設けた固定片１３及びキャビネット３の側面に固定した位置決め突起３３を利用してキャビネット３に取り付けられる構成としたので、収納用部材１２を、簡単、且つ正確にキャビネット３に位置決めでき、組立の作業性を向上することができる。
【００３３】
流し台２の使用者は、物品１６を収納筺部１５の棚１９に載置して収納できる。そして、棚１９は、その前側に落下止め用段部２０が形成されているために物品１６は棚１９から前方に転がっても、落下するようなことが防止できる。
【００３４】
本発明の流し台では、図２（ｂ）に示すように、収納用部材１２の上部の前側の上面部分は前方に向けて下方に傾斜した傾斜面２２が形成されているから、収納用幕板部１１の上面に付着した水滴がこの傾斜面２２から前方に排水され、水滴が、収納用部材１２の表面に溜まったり、収納筺部１５に入り込んだりすることがない。
【００３５】
本発明の流し台では、さらに、収納用部材１２を位置決めして側板２８に取り付けられた状態では、図２（ｂ）に示すように、収納用部材１２の幕部１８の前面傾斜面２４及び後面傾斜面２５の下端が扉８の前面より前方に配設される。
【００３６】
このような取り付け構造によって、シンク７からの撥ね出た水滴や、キャビネット３内の湿気等により生じる水滴が、図２（ｂ）に示すように、幕部１８の前面及び後面に沿って流れ出てきても、水滴を扉８に付着することなくその前方に排出可能となる。
【００３７】
以上、本発明に係る流し台を実施するための最良の形態を実施例に基づいて説明したが、本発明はこのような実施例に限定されるものではなく、特許請求の範囲に記載された技術的事項の範囲内でいろいろな実施例があることは言うまでもない。そして、本発明に係る流し台は、洗面室等に設置される所謂洗面台も含まれるものである。
【産業上の利用可能性】
【００３８】
以上、本発明に係る流し台を説明したが、この流し台２に採用した構造の収納用幕板部は、キッチンの流し台に限らず、シンクを備えたキャビネットであれば、洗面キャビネット等、その他いろいろな用途のシンク付きキャビネットにも適用できる。
【図面の簡単な説明】
【００３９】
【図１】（ａ）は従来例に係る流し台を説明する図であり、（ｂ）は本発明に係る流し台の実施例を説明する図である。
【図２】本発明に係る流し台の実施例を説明する図であり、（ａ）、（ｂ）は要部を説明する断面図である。
【図３】（ａ）は本発明に係る流し台の実施例の斜視図であり、（ｂ）は変形例を示す図である。
【図４】本発明に係る流し台の収納用幕板部の部品を説明する図である。
【図５】本発明に係る流し台の収納用幕板部を組立工程を説明する図である。
【符号の説明】
【００４０】
１  流し台（従来例）                       
２  流し台                                 
３  キャビネット                           
４  キャビネットの収納スペース                   
５  天板                                   
６  天板のシンク装着用の開口部             
７  シンク                                 
８  扉                                     
９  幕板                                   
１０  化粧板（従来例）                     
１１  収納用幕板部                         
１２  収納用部材                           
１３  固定片                               
１４  サイドカバー                         
１５  収納筺部                               
１６  物品                                 
１７  天板当接部                           
１８  幕部                                 
１９  棚                                   
２０  落下止め用の段部                     
２１  角部                                 
２２  収納用部材前側上部の傾斜面           
２３  ネジ孔                               
２４  収納用部材下部の前面傾斜面           
２５  収納用部材下部の後面傾斜面           
２６  折返し部                             
２７  ネジ止め用の孔                       
２８  側板                                 
２９  位置決め用孔                         
３０  位置決め用孔の上端に拡開した開口     
３１  位置決め用孔の長孔                   
３２  位置決め用孔の下端の丸孔             
３３  側板に突設された位置決め用突起       
【図１】
2006346302.tif 000003
【図２】
2006346302.tif 000004
【図３】
2006346302.tif 000005
【図４】
2006346302.tif 000006
【図５】
2006346302.tif 000007